(57)【特許請求の範囲】
【請求項１】
リュック本体の使用者の背中に接する側の面に一対のショルダーベルトが備えられたリュックサックにおいて、
前記リュック本体の外面底部にキャスターが展開及び折り畳み可能に取り付けられ、前記キャスターの折り畳み時において該キャスターを覆う防汚カバーが前記リュック本体の外面底部に着脱自在に取り付けられており、
前記一対のショルダーベルトに該ショルダーベルトを前記リュック本体の外面に沿わせながら互いに固着させる固着手段が備えられたことを特徴とするリュックサック。
【請求項２】
前記リュック本体の外面底部の近傍に前記防汚カバーを収納する防汚カバー収納ポケットが備えられた請求項１記載のリュックサック。
【請求項３】
前記リュック本体の内部に少なくとも前記リュック本体の底面及び両側面を補強する補強板が該底面から起伏可能に備えられた請求項１又は２記載のリュックサック。
【請求項４】
前記補強板が前記リュック本体の内部に着脱可能に備えられた請求項３記載のリュックサック。
【発明の詳細な説明】
【０００１】
【産業上の利用分野】
本発明は、リュックサックに関する。
【０００２】
【従来の技術】
従来、リュックサックとしては、種々のものが提案され、市販されている。これらのリュックサックのうち、一般的に用いられているのは、リュックサックの背面側（使用者の背中に接する側）に備えられたショルダーベルトを使用者が肩にかけて背負うことにより、荷物を詰めたリュックサックを持ち運ぶことができるようになされたものである。
【０００３】
【発明が解決しようとする課題】
しかし、上記したリュックサックでは、内部に詰めた荷物が重くなると、ショルダーベルトを介して使用者の肩に大きな荷重がかかり、このような荷重は使用者の肩や腰等に、大きなダメージを与える。
【０００４】
かかる不都合を解消するため、重い荷物を詰めたリュックサックをキャリーカートに載置して、このキャリーカートを引っ張って該荷物を運ぶこともできる。しかし、この場合、使用者の肩にかかる負担は軽くなるが、リュックサックとキャリーカートの両方を持ち運ぶ必要があり、嵩張るばかりでなく面倒でもある。
【０００５】
また、リュックサックのショルダーベルトは、使用者の肩部を通すための長さを調整する必要性から余裕をもって備えられるため、リュックサックを下ろして起立させると、ショルダーベルトはリュック本体の背面側より離れてリュックサックの底面よりも垂下する。したがって、キャリーカートにリュックサックを載置すると、ショルダーベルトを引きずってしまうといった不都合が生じる。しかも、この引きずったショルダーベルトや、一旦、地面や床に置いたリュックサックを再び背負うと、この汚れたショルダーベルトやリュックサックの底面によって、使用者の衣服が土やゴミ等で汚れる場合もある。
【０００６】
また、リュックサックは、通常、布や化学繊維等の柔らかい素材からなるため、リュックサックが撓んでキャリーカート上に載置し難いといった不都合もある。さらに、買い物や荷物を引き取りに行く時のように、行きは荷物がなく、帰りに荷物がある場合、荷物を詰めない不使用時にリュックサックを背負うのは、このリュックサックが邪魔になり、不快である。
【０００７】
本発明は、上記のような事情に鑑み創作されたものであって、キャスターを使用してカートとして好適に用いることができるとともに、不使用時には、折り畳んで携帯することができるリュックサックの提供を目的とする。
【０００８】
【課題を解決するための手段】
上記の目的を達成するため、本発明の請求項１記載の発明は、リュック本体の使用者の背中に接する側の面に一対のショルダーベルトが備えられたリュックサックにおいて、前記リュック本体の外面底部にキャスターが展開及び折り畳み可能に取り付けられ、前記キャスターの折り畳み時において該キャスターを覆う防汚カバーが前記リュック本体の外面底部に着脱自在に取り付けられており、前記一対のショルダーベルトに該ショルダーベルトを前記リュック本体の外面に沿わせながら互いに固着させる固着手段が備えられたことを特徴とするもので構成される。この発明によれば、リュック本体の外面底部にキャスターが展開及び折り畳み可能に取り付けられているので、このキャスターを展開すれば、該リュックサックをカートとして使用することができる。また、キャスターの折り畳み時にこのキャスターを防汚カバーで覆うことができる。さらに一対のショルダーベルトをリュック本体の前面（使用者の背中に接する面と対向する面）側に回して、これら一対のショルダーベルトを互いに固着させることができる。
【０００９】
また、請求項２記載の発明は、前記リュック本体の外面底部の近傍に前記防汚カバーを収納する防汚カバー収納ポケットが備えられたものから構成される。この発明によれば、防汚カバーを必要に応じてリュックサック内に収納したり、取り出して使用することができる。
【００１１】
また、請求項３記載の発明は、前記リュック本体の内部に少なくとも前記リュック本体の底面及び両側面を補強する補強板が該底面から起伏可能に備えられたもので構成される。この発明によれば、該リュックサックをカートとして使用する際には、この補強板をリュック本体内部の底面及び両側面に沿うように取り付けて、リュックサック全体の剛性を確保し、該リュックサックを自立させることができる。さらに、荷物を詰めない不使用時には、この補強板を折り畳むとともにキャスターも折り畳み、リュックサック全体を折り畳んでコンパクトにして携帯することができる。
【００１２】
また、請求項４記載の発明は、前記補強板がリュック本体の内部に着脱可能に備えられたものから構成される。
【００１３】
この発明によれば、該補強板の取り付け及び取り外しが自在であるから、カートとして使用する際には、この補強板を取り付けてリュックサック全体の剛性を確保して該リュックサックを自立させることができ、リュックとして使用する際には、この補強板を取り外してリュック本体に荷物を詰め易くすることができる。
【００１４】
【実施の形態】
以下、本発明の実施の形態について図を参照して説明する。図１は本発明のリュックサック１のキャスター４使用時における斜視図、図２はリュックサック１の背面側を示した斜視図、図３はリュックサック１の底面図、図４は防汚カバー３０１を取り付けた状態を示す斜視図、図５は補強板５を示す斜視図、図６は補強板５をリュック本体２の内部に取り付けた状態を示す斜視図、図７はリュックサック１を折り畳んだ状態を示す斜視図である。
【００１５】
本発明にかかるリュックサック１は、リュック本体２とキャスター４と補強板５とから構成されている。以下、順次上記の各構成部分について説明する。なお、ここで、「背面」とは使用者の背中に接する面をいい、「前面」とはこの「背面」と対向する面をいう。
【００１６】
リュック本体２の前面は開口されて前面部２１が設けられている。この前面部２１は、その底辺２１０のみリュック本体２の底面と接続され、その他の辺はファスナー等を介して開閉自在とされ、荷物の出し入れができるようになされている。
【００１７】
前面部２１の外面の底辺２１０側には、防汚カバー収納ポケット３０が設けられている。この防汚カバー収納ポケット３０は、防汚カバー３０１を収納するためのポケットであるが、防汚カバー３０１の他にも、ノートブック等の薄いものを収納することができるものである。なお、前面部２１の外面の防汚カバー収納ポケット３０の上部には前面ポケット３１が設けられ、リュック本体２の両側面２３の外面には側面ポケット３２が設けられている。この前面ポケット３１及び側面ポケット３２は、小物等を分類して収納する際の便宜を考慮したものであって、設けるのは任意である。
【００１８】
防汚カバー３０１は、リュック本体２と同素材の基材からなる舌片状のものであって、防汚カバー収納ポケット３０内にその基端部が取り付けられ、その先端部は自由端とされている。この防汚カバー３０１の先端部の裏面側には、幅方向に沿って面ファスナー３０１ａが取り付けられている（図２参照）。この面ファスナー３０１ａは、リュック本体２の背面２５の下端に取り付けられた面ファスナー２５０（図２参照）と固着して、キャスター４を防汚カバー３０１で覆った後、この防汚カバー３０１をリュック本体２に固着させるためのものである。
【００１９】
リュック本体２の背面２５には、一対のショルダーベルト３３、３３が設けられている。このショルダーベルト３３、３３は、リュックサック１を背負う際に肩にかけるためのものであって、スポンジ状の緩衝材等を縫い込んだ帯状体で形成された肩掛け部３３ａと、肩掛け部３３ａから連続して形成され肩掛け部３３ａより細幅の調節部３３ｂとから構成されている。
【００２０】
この調節部３３ｂは、使用者の体格に合わせてショルダーベルト３３の長さを調節具３３０により調節するためのものである。この調節部３３ｂの所望位置には、雌雄一対の係着具３３１、３３２が取り付けられ、ショルダーベルト３３、３３をリュック本体２の前面側に回してこれら一対の係着具３３１、３３２を嵌め合わせることができるようになされている。こうすると、一対のショルダーベルト３３、３３同士をリュック本体２の前面部において繋ぐことができるので、調節部３３ｂがリュック本体２の外面底部２４から垂下することがなくなり、このリュックサック１のキャスター使用時にショルダーベルト３３、３３をひきずることを防止でき、リュックサック１をカートとして好適に使用することができる。
【００２１】
リュック本体２の上面２２には、把手３４、及び、持ち手３５が取り付けられている。
【００２２】
この把手３４は、リュックサック１を持ち上げる際に掴んだり、荷物の出し入れをする際にここを持ってリュックサック１を安定させ易いように、リュック本体２の上面２２から僅かに突出するように取り付けられている。この把手３４は、上面２２から突出している把持部３４０と、把持部３４０の両端にある取り付け部３４１とからなり、取り付け部３４１がリュック本体２の上面２２に縫着されている。また、取り付け部３４１には、その中間にループ３４２が嵌め入れられ、このループ３４２が取り付け部３４１とともにリュック本体２の上面に取り付けられている。
【００２３】
持ち手３５は、後述するキャスター４を展開してリュックサック１をカートとして使用したときに、使用者がこの持ち手３５を持ちリュックサック１を引っ張って進み易いように設けられるものであって、帯状体で形成されている。持ち手３５の両端には、ナスかん３５０が備えられ、このナスかん３５０が把手３４の取り付け部３４１に設けられたループ３４２に嵌め込まれ、持ち手３５がリュック本体２に着脱自在に取り付けられるように図られている。また、持ち手３５には、長さ調節具３５１が備えられ、その長さを調節することができるようになされている。
【００２４】
なお、リュック本体２には、折り畳んだリュックサック１をその状態に保持する手段を設けても良い。例えば、互いに固着する面ファスナーを両端に取り付けたベルトをリュック本体２に備え、リュックサック１を折り畳んだ後にこのベルトをその上から巻き付けて面ファスナーを固着させても良いし、或いは、リュック本体２にホック等を取り付けて止めるようにしても良い。
【００２５】
キャスター４は、リュックサック１をカートとして使用するためのものである。このキャスター４は、展開及び折り畳みが可能なようにリュック本体２に取り付けられており、この実施の形態では２個設けられている。これらキャスター４は、支軸４２に取り付けられ、この支軸４２が取り付け具４１を介してリュック本体２の外面底部２４に取り付けられている。
【００２６】
支軸４２の両端は同方向に屈曲され、一方にはキャスター４が取り付けられてキャスター取付け部４２１とされ、他方は支軸脚４２２とされている（図３参照）。キャスター４を取付けたキャスター取付け部４２１の高さと支軸脚４２２の高さとは略同一になるようにされており、キャスター４を展開したときに、キャスター４と支持脚４２２とが同時に接地してリュックサック１を安定よく起立させることができるように図られている。また、支軸４２と取り付け具４１にはロックできる機構が設けられており（図示せず）、キャスター４と外面底部２４との角度が０°若しくは９０°のいずれかに選択可能に係止できるようになされている。
【００２７】
また、キャスター４は背面２５側に設けられ、支持脚４２２は前面部２１側に設けられるのが望ましい。使用者が、キャスター４を展開してリュックサック１を引っ張って進むときは、背面２５側を進行方向とし、背面２５と地面とが鋭角をなすようにリュックサック１を傾けて進むのが通常であり、この場合に支持脚４２２が地面から浮上してキャスター４のみが接地され、リュックサック１を引っ張るとともにキャスター４を回動させて進むことができるからである。
【００２８】
補強板５は、リュック本体２の内部にその底面から起伏可能に備えられ、少なくともリュック本体２の底面及び両側面２３を補強してリュック本体２の剛性を確保するためのものである。
【００２９】
この補強板５は、適度な剛性を有する厚紙や合成樹脂板等からなり、底板部５１と、この底板部５１の両端から折り曲げ可能に連続する一対の側板部５２、５２とから構成される（図５参照）。なお、本実施の形態では、リュック本体２と同素材の基材で、底板部５１と側板部５２、５２用の３枚の厚紙を被覆し、これらの部材の間を縫製して折り曲げ可能にしたもので形成されている。
【００３０】
底板部５１は、リュック本体２の底部の内部にちょうど納まる大きさ及び形状に形成されている。また、一対の側板部５２、５２は、リュック本体２の側面２３高さの２分の１程度の長さであって、補強板５の折り畳み時には底板部５１の上に一方の側板部５２、その上に他方の側板部５２が重ねられるようになされている。
【００３１】
また、一対の側板部５２、５２の外面の上端部には、雄スナップ５２０がそれぞれ２箇所ずつ取り付けられ、リュック本体２の側面内部のこの雄スナップ５２０に対応する位置には、雌スナップ５２１が取り付けられ、これら雄雌スナップ５２０、５２１を嵌合させて、補強板５がリュック本体２の内部に取り付けられるように図られている（図６参照）。
【００３２】
なお、補強板５の底板部５１は、本実施の形態ではリュック本体２の底面内部に固着されていない。しかし、始めから底板部５１をリュック本体２の底面内部に固着していても良く、また、雄雌スナップを底板部５１とリュック本体２底面内部に設けることにより着脱可能としても良い。また、補強板５とリュック本体２に上記した雄雌スナップ５２０、５２１等の固着手段を一切設けることなく、補強板５をリュック本体２の内部に側板部５２、５２を起立させて入れておくだけでも良い。
【００３３】
次に、上記した構成のリュックサック１の使用方法を、リュックサックとして使用する場合、カートとして使用する場合、折り畳んで携帯する場合とに分けて説明する。
【００３４】
リュックサックとして使用する場合、使用者は、まず、キャスター４を折り畳んでおく。次いで、防汚カバー収納ポケット３０から防汚カバー３０１を取出し、この防汚カバー３０１でキャスター４を覆ってから、防汚カバー３０１先端に取り付けられた面ファスナー３０１ａとリュック本体２の前面部の面ファスナー２５０とを固着させる。このとき補強板５は、リュック本体２の内部に取り付けておいても、あるいは折り畳んでリュック本体２の内部に入れておいても良い。その後、使用者はリュック本体２に荷物を詰めてショルダーベルト３３を肩にかけると、リュックサック１を背負って荷物を運ぶことができる。
【００３５】
次にカートとして使用する場合について説明する。まず、使用者は防汚カバー３０１の面ファスナー３０１ａを面ファスナー２５０から外して防汚カバー３０１を防汚カバー収納ポケット３０内部に収納しておく。そして、キャスター４を展開する。次いで、補強板５の雄スナップ５２０をリュック本体２の雌スナップ５２１に嵌合させて、補強板５をリュック本体２に取り付ける。その後、リュック本体２内に荷物を詰め、ショルダーベルト３３をリュック本体２の前面側に回して、その先端の係着具３３１と３３２とを嵌め合わせる。次に、持ち手３５を所望長さに調節し、この持ち手３５を引っ張ると、キャスター４を転がしながら、リュックサック１を運ぶことができる。
【００３６】
次にリュックサック１を折り畳んで携帯する場合について説明する。使用者は、まず、キャスター４を折り畳み、補強板５をリュック本体２から取り外して折り畳む。次いで、リュック本体２を折り畳む。折り畳む際は、キャスター４を防汚カバー３０１で覆ってリュック本体２が汚れないようにしてから、キャスター４を巻き込むように折り畳むのが好ましい（図７参照）。このようにしてリュックサック１を折り畳むと、コンパクトになり携帯することができる。
【００３７】
なお、本発明にかかるリュックサック１は、買い物や通学時等に用いられるような小・中型の大きさのものに限らず、登山や海外旅行等で用いられる大型のものにも広く利用できるものである。
【００３８】
【発明の効果】
以上説明したとおり、本発明のリュックサックは、リュック本体の外面底部にキャスターが展開及び折り畳み可能に取り付けられているので、このキャスターを展開すれば、該リュックサックをカートとして使用することができる。したがって、リュックサックに詰めた荷物が重い場合であっても、カートとして使用すれば、使用者の肩にかかる負担は少ない。また、リュックサックと別にキャリーカートを持ち運ぶ必要もないので、便利である。さらに、一対のショルダーベルトに該ショルダーベルトを前記リュック本体の外面に沿わせながら互いに固着させる固着手段が備えられているので、リュックサックをカートとして使用する際、ショルダーベルトの先端をリュック本体の前面側に回してこれらのショルダーベルトを固着させると、ショルダーベルトの先端がリュック本体の底面よりも垂下することがない。したがって、リュックサックをカートとして使用するとき、ショルダーベルトの先端を引きずってしまうといった不都合が生じない。
【００３９】
また、キャスターの折り畳み時において該キャスターを覆う防汚カバーが前記リュック本体の外面底部に着脱自在に取り付けられているので、リュックサックを背負う際、キャスターを防汚カバーで覆うと、使用者の衣服を土やゴミ等で汚す虞がない。
【００４０】
また、リュック本体の外面底部の近傍に前記防汚カバーを収納する防汚カバー収納ポケットが備えられているので、防汚カバーを必要に応じて収納したり取出したりすることができる。したがって、防汚カバーに付着した土やゴミ等で使用者の衣服を汚す虞がなく、また、防汚カバー以外に薄状物をも収納することができて便利でもある。
【００４２】
また、リュック本体の内部に少なくともリュック本体の底面及び両側面を補強する補強板が該底面から起伏可能に備えられているので、カートとして使用する際には、この補強板をリュック本体内部の底面及び両側面に沿うように取り付けて、リュックサック全体の剛性を確保し、該リュックサックを自立させることができる。したがって、使用者は、容易に該リュックサックを引っ張って進むことができる。
【００４３】
さらに、荷物を詰めない不使用時には、補強板を折り畳むとともにキャスターをも折り畳み、リュックサック全体を折り畳んでコンパクトにして携帯することができる。
【図面の簡単な説明】
【図１】本発明のリュックサックのキャスター使用時における斜視図である。
【図２】本発明のリュックサックの背面側を示す斜視図である。
【図３】本発明のリュックサックの底面図である。
【図４】本発明のリュックサックのキャスター不使用時における斜視図である。
【図５】本発明の実施の形態における補強板を示す斜視図である。
【図６】本発明の実施の形態において、補強板を取り付けた状態を示す斜視図である。
【図７】本発明のリュックサックを折り畳んだ状態を示す斜視図である。
【符号の説明】
１      リュックサック
２      リュック本体
２４    リュック本体外面底部
３０    防汚カバー収納ポケット
３０１  防汚カバー
３３    ショルダーベルト
３３１、３３２  係着具
４      キャスター
５      補強板
【図１】
0004486197.tif 000002
【図２】
0004486197.tif 000003
【図３】
0004486197.tif 000004
【図４】
0004486197.tif 000005
【図５】
0004486197.tif 000006
【図６】
0004486197.tif 000007
【図７】
0004486197.tif 000008